(57)【要約】【課題】高さを低くすることができるコネクタのロック構造を提供する。【解決手段】雌端子を収容した雌コネクタハウジング１１と、雄端子を収容した雄コネクタハウジング１２と、を備え、雌コネクタハウジング１１が、雌コネクタハウジング１１上でシーソー式に回動可能であって高さ方向に直交する幅方向に可撓自在にして端部に係止突起１８を有する可撓片１６を備え、雄コネクタハウジング１２が、雌コネクタハウジング１１への嵌合途中に、可撓片１６を幅方向へ変位させる引き込み傾斜面２５と、雌コネクタハウジング１１への嵌合時に、係止突起１８に係止される係止突起受２６と、を有するロック突部２４を備えているコネクタのロック構造。【選択図】図１
2008071530.tif 000002
【特許請求の範囲】
【請求項１】
雌端子を収容した雌コネクタハウジングと、雄端子を収容し該雌コネクタハウジングとの嵌合に伴い該雄端子が該雌端子に電気的に接続される雄コネクタハウジングと、を備えたコネクタのロック構造であって、
前記雌コネクタハウジングが、該雌コネクタハウジング上でシーソー式に回動可能であって、前記雌コネクタハウジングの高さ方向に直交する幅方向に可撓自在にして端部に係止突起を有する可撓片を備え、
前記雄コネクタハウジングが、前記雌コネクタハウジングへの嵌合途中に、前記可撓片を前記幅方向へ変位させる引き込み傾斜面と、該雌コネクタハウジングへの嵌合時に、前記係止突起に係止される係止突起受と、を有するロック突部を備えていることを特徴とするコネクタのロック構造。
【請求項２】
前記雄コネクタハウジングが、前記雌コネクタハウジングへの嵌合途中に、前記可撓片の前記係止突起を前記係止突起受に誘導する突部をさらに備えていることを特徴とする請求項１に記載したコネクタのロック構造。
【請求項３】
前記雌コネクタハウジングが、前記雌コネクタハウジングへの嵌合途中に、前記ロック突部に摺接するロック突部摺接部と、前記可撓片の変位量を規制する可撓片規制部と、をさらに備えていることを特徴とする請求項１または請求項２に記載したコネクタのロック構造。
【発明の詳細な説明】
【技術分野】
【０００１】
本発明は、雌端子を収容した雌コネクタハウジングと雄端子を収容した雄コネクタハウジングとを嵌合時にロックするコネクタのロック構造に関する。
【背景技術】
【０００２】
コネクタのロック構造の一例として、図７に示すように、雌コネクタハウジング５１の先端側開口に雄コネクタハウジング５２の先端を押し込んでいくと、ロックアーム５３の係合突起５４がアーム係合部５５の押し出し用案内面５６に乗り上げて、可撓アーム５７が雌コネクタハウジング５１の外面から離間する高さ方向に弾性変形する。そして、両コネクタハウジング５１，５２が完全嵌合状態となると、ロックアーム５３の係合突起５４が押し出し案内面５６を乗り越えて可撓アーム５７が戻り変形し、係合突起５４がアーム係合部５５の係止部５８に係止されるものが知られている（例えば、特許文献１参照）。
【０００３】
【特許文献１】特開２００１−６８２１６号公報（図１）
【発明の開示】
【発明が解決しようとする課題】
【０００４】
ところが、上記特許文献１に開示されたコネクタのロック構造においては、雌コネクタハウジング５１と雄コネクタハウジング５２との嵌合時に、ロックアーム５３の可撓アーム５７が雌コネクタハウジング５１の外面から離間する高さ方向に弾性変形する構造であるために、可撓アーム５７の弾性変形量を考慮すると、両コネクタ５１，５２の全体の高さが高くなり、狭いスペースでの嵌合がし難い。
【０００５】
本発明は、上述した事情に鑑みてなされたものであり、その目的は、高さを低くすることができるコネクタのロック構造を提供することにある。
【課題を解決するための手段】
【０００６】
１）本発明に係るコネクタのロック構造は、雌端子を収容した雌コネクタハウジングと、雄端子を収容し該雌コネクタハウジングとの嵌合に伴い該雄端子が該雌端子に電気的に接続される雄コネクタハウジングと、を備えたコネクタのロック構造であって、
前記雌コネクタハウジングが、該雌コネクタハウジング上でシーソー式に回動可能であって、前記雌コネクタハウジングの高さ方向に直交する幅方向に可撓自在にして端部に係止突起を有する可撓片を備え、
前記雄コネクタハウジングが、前記雌コネクタハウジングへの嵌合途中に、前記可撓片を前記幅方向へ変位させる引き込み傾斜面と、該雌コネクタハウジングへの嵌合時に、前記係止突起に係止される係止突起受と、を有するロック突部を備えていることを特徴とする。
【０００７】
上記１）に記載の発明によれば、雌コネクタハウジングに雄コネクタハウジングが嵌合されていくと、ロック突部の引き込み傾斜面に可撓片が摺接することで可撓片が雌コネクタハウジングの幅方向へ変位され、その後に、可撓片の係止突起が係止突起受に係止されて嵌合がロックされる。これにより、可撓片とロック突部とから構成される高さが高くなることがないので、両コネクタハウジングの全体の高さを低く低背とすることができる。
【０００８】
２）また、本発明に係るコネクタのロック構造は、上記１）に記載のコネクタのロック構造において、前記雄コネクタハウジングが、前記雌コネクタハウジングへの嵌合途中に、前記可撓片の前記係止突起を前記係止突起受に誘導する突部をさらに備えていることを特徴とする。
【０００９】
上記２）に記載の発明によれば、雌コネクタハウジングに雄コネクタハウジングが嵌合されていく途中で、ロック突部の引き込み傾斜面に可撓片が摺接することで可撓片が雌コネクタハウジングの幅方向へ変位されてから、可撓片の係止突起が突部を乗り越えることによって係止突起受へ誘導されるために、係止突起を係止突起受に確実に係止させることができる。
【００１０】
３）また、本発明に係るコネクタのロック構造は、上記１）または上記２）に記載のコネクタのロック構造において、前記雌コネクタハウジングが、前記雌コネクタハウジングへの嵌合途中に、前記ロック突部に摺接するロック突部摺接部と、前記可撓片の変位量を規制する可撓片規制部と、をさらに備えていることを特徴とする。
【００１１】
上記３）に記載の発明によれば、雌コネクタハウジングに雄コネクタハウジングが嵌合されていく途中において、ロック突部がロック突部摺接部に摺接することで、雄コネクタハウジングを幅方向に押圧する応力が規制されて雄コネクタハウジングを雌コネクタハウジングにスムースに嵌合することができる。また、ロック突部の引き込み傾斜面に可撓片が摺接することで可撓片が雌コネクタハウジングの幅方向へ変位される際に、可撓片が可撓片規制部に当接して変位量を規制することで、変位量の少ないロック動作を行うことができる。
【発明の効果】
【００１２】
本発明のコネクタのロック構造によれば、全体の高さが高くなり、狭いスペースでの嵌合がし難い、という問題を解決でき、これにより、高さを低くすることができるという効果が得られる。
【発明を実施するための最良の形態】
【００１３】
以下、本発明に係る好適な実施の形態例を図面に基づいて詳細に説明する。
【００１４】
図１は本発明の一実施形態に係るコネクタのロック構造を用いた雌コネクタハウジングと雄コネクタハウジングとの嵌合前の外観斜視図、図２は図１に示す雌コネクタハウジングの正面図、図３は図１に示す雄コネクタハウジングの正面図、図４は図１に示す雌コネクタハウジングと雄コネクタハウジングとの嵌合前半の外観斜視図、図５は図１に示す雌コネクタハウジングと雄コネクタハウジングとの嵌合後半の外観斜視図、図６は図１に示す雌コネクタハウジングと雄コネクタハウジングとの嵌合後の外観斜視図である。
【００１５】
図１に示すように、本発明の一実施形態であるコネクタのロック構造は、雌コネクタハウジング１１と、雄コネクタハウジング１２と、に用いられている。
【００１６】
雌コネクタハウジング１１は、導電性のない樹脂によって、天板１３と一対の側板１４と底板１５とから筒形状に形成されており、天板１３の反嵌合方向側に可撓片１６が突出形成されている。この可撓片１６は、嵌合方向に長さを有し、後端側に配置された支点部１７を介してシーソー式に回動される。また、可撓片１６は、嵌合側の先端部に横方向にフック形状の係止突起１８を備えており、支点部１７を介して係止突起１８が雌コネクタハウジング１１の高さ方向に直交する幅方向に変位するように弾性変形する。
【００１７】
また、雌コネクタハウジング１１は、天板１３のほぼ中央部に、嵌合方向に向けて矩形に切除されたロック突部挿入部１９が形成されており、このロック突部挿入部１９の左方側にロック突部摺接部２０が形成され、ロック突部挿入部１９の右方側に可撓片規制部２１が形成されている。なお、ロック突部挿入部１９は、天板１３の前端部から後端部までの長さであっても良い。そうすれば、可撓片１６の回動がし易くなる。
【００１８】
そして、雌コネクタハウジング１１は、両側板１４の内側に嵌合方向に凹溝２２がそれぞれ形成されている。凹溝２２は、両側板１４の互い違いの位置に配置されている。
【００１９】
雄コネクタハウジング１２は、導電性のない樹脂によって四角形のブロック形状に形成されており、天面２３にロック突部２４が突出形成されている。
【００２０】
ロック突部２４は、嵌合方向に長さを有し、右方側にテーパ面状の引き込み傾斜面２５を備えている。引き込み傾斜面２５は、嵌合方向先端よりも嵌合方向基端側が横方向にずれた面を形成している。
【００２１】
また、ロック突部２４は、引き込み傾斜面２５の嵌合方向基端部に係止突起受２６が形成されており、この係止突起受２６に隣接して突部（ロックビークとも言う。）２７が突出形成されている。
【００２２】
そして、雄コネクタハウジング１２は、両側面２８に、雌コネクタハウジング１１の凹溝２２に一致するリブ２９が嵌合方向にそれぞれ形成されている。
【００２３】
図２に示すように、雌コネクタハウジング１１は、可撓片１６が天板１３の嵌合中心線Ａ１に合わせて配置されている。そして、雌コネクタハウジング１１は、不図示の複数の端子収容室を有し、端子収容室のそれぞれに雌端子３０が収容されている。
【００２４】
図３に示すように、雄コネクタハウジング１２は、ロック突部２４が天面２３の嵌合中心線Ａ２から距離Ｌ１だけ左方にラップした位置に配置されている。そして、雄コネクタハウジング１２は、不図示の複数の端子収容室を有し、端子収容室のそれぞれに雄端子３１が収容されている。雌端子３０と雄端子３１との配列及び数は一例であって、適用される回路数に応じて選択設定される。
【００２５】
以下、図４〜図６を参照して、雌コネクタハウジング１１に雄コネクタハウジング１２が嵌合されていく際の各部の動作を順次説明する。
【００２６】
図４に示すように、雌コネクタハウジング１１の凹溝２２に雄コネクタハウジング１２のリブ２９がそれぞれ一致されて、雌コネクタハウジング１１に雄コネクタハウジング１２が嵌合されていくと、最初に、可撓片１６の係止突起１８にロック突部２４の引き込み傾斜面２５が当接され、嵌合が進行するのに伴い、係止突起１８に引き込み傾斜面２５が摺接される。このとき、ロック突部２４がロック突部摺接部２０に摺接しながら進行されるために、雄コネクタハウジング１２を幅方向に押圧する応力が規制される。
【００２７】
図５に示すように、引き込み傾斜面２５が嵌合方向先端よりも嵌合方向基端側が横方向にずれた面を形成しているために、嵌合の進行に伴い、可撓片１６が右方向に弾性変形していく。しかし、可撓片１６は、可撓片規制部２１に当接するまでは変位するが、可撓片規制部２１に当接してからは変位しないので、変位量が最小限に保たれて変位される。そして、嵌合に進行に伴い、可撓片１６の係止突起１８側が突部２７に乗り上げることで、可撓片１６の係止突起１８側がシーソー式に持ち上がって可撓片１６の係止突起１８がロック突部２４の引き込み傾斜面２５から離れ、その後に、可撓片１６の係止突起１８側がシーソー式に戻り回動される。
【００２８】
図６に示すように、可撓片１６の係止突起１８側がシーソー式に戻り回動されることで、可撓片１６の係止突起１８がロック突部２４の係止突起受２６にスナップアクション的に係止されて嵌合が完了され、雌端子３０に雄端子３１が電気的に接続される。このとき、雌コネクタハウジング１１の可撓片１６に対して、雄コネクタハウジング１２のロック突部２４がラップ配置されているために、両コネクタハウジング１１，１２のがたつきが防止される。また、雌コネクタハウジング１１の凹溝２２に雄コネクタハウジング１２のリブ２９がそれぞれ挿入されているために、両コネクタハウジング１１，１２の周方向の移動が規制されることでがたつきを生ずることがない。
【００２９】
上記に反して、雄コネクタハウジング１２を雌コネクタハウジング１１から離脱させる必要が生じた場合、支点部１７を介して可撓片１６の嵌合先端側を雌コネクタハウジング１１の天板１３に向けて押圧することで可撓片１６をシーソー式に回動させるか、或いは、可撓片１６の係止突起１８側を上方に持ち上げるかすることで、係止突起１８が係止突起受１６から簡単に外して、両コネクタハウジング１１，１２を離脱させることができる。
【００３０】
上述したように、コネクタのロック構造によれば、雌コネクタハウジング１１に雄コネクタハウジング１２が嵌合されていくと、ロック突部２４の引き込み傾斜面２５に可撓片１６が摺接することで可撓片１６が雌コネクタハウジング１１の幅方向へ変位され、その後に、可撓片１６の係止突起１８が係止突起受２６に係止されて嵌合がロックされる。これにより、可撓片１６とロック突部２４とから構成される高さが高くなることがないので、両コネクタハウジング１１，１２の全体の高さを低く低背とすることができる。
【００３１】
また、コネクタのロック構造によれば、雌コネクタハウジング１１に雄コネクタハウジング１２が嵌合されていく途中で、ロック突部２４の引き込み傾斜面２５に可撓片１６が摺接することで可撓片１６が雌コネクタハウジング１１の幅方向へ変位されてから、可撓片１６の係止突起１８が突部２７を乗り越えることによって係止突起受２６へ誘導されるために、係止突起１８を係止突起受２６に確実に係止させることができる。
【００３２】
また、コネクタのロック構造によれば、雌コネクタハウジング１１に雄コネクタハウジング１２が嵌合されていく途中において、ロック突部２４がロック突部摺接部２０に摺接することで、雄コネクタハウジング１２を幅方向に押圧する応力が規制されて雄コネクタハウジング１２を雌コネクタハウジング１１にスムースに嵌合することができる。また、ロック突部２４の引き込み傾斜面２５に可撓片１６が摺接することで可撓片１６が雌コネクタハウジング１１の幅方向へ変位される際に、可撓片１６が可撓片規制部２１に当接して変位量を規制することで、変位量の少ないロック動作を行うことができる。
【００３３】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００３４】
【図１】本発明の一実施形態に係るコネクタのロック構造を用いた雌コネクタハウジングと雄コネクタハウジングとの嵌合前の外観斜視図である。
【図２】図１に示した雌コネクタハウジングの正面図である。
【図３】図１に示した雄コネクタハウジングの正面図である。
【図４】図１に示した雌コネクタハウジングと雄コネクタハウジングとの嵌合前半の外観斜視図である。
【図５】図１に示した雌コネクタハウジングと雄コネクタハウジングとの嵌合後半の外観斜視図である。
【図６】図１に示す雌コネクタハウジングと雄コネクタハウジングとの嵌合後の外観斜視図である。
【図７】従来のコネクタのロック構造の概略図である。
【符号の説明】
【００３５】
１１        雌コネクタハウジング
１２        雄コネクタハウジング
１６        可撓片
１８        係止突起
１９        ロック突部摺接部
２１        可撓片規制部
２４        ロック突部
２５        引き込み傾斜面
２６        係止突起受
２７        突部
３０        雌端子
３１        雄端子
【図１】
2008071530.tif 000003
【図２】
2008071530.tif 000004
【図３】
2008071530.tif 000005
【図４】
2008071530.tif 000006
【図５】
2008071530.tif 000007
【図６】
2008071530.tif 000008
【図７】
2008071530.tif 000009